(57)【要約】【課題】  スタッフルームでの呼び出しに対して医療従事者ができるだけ迅速に、かつ、できるだけ効率良く対応することができるようにする。【解決手段】  携帯通信端末１０の位置情報により第一の範囲に医療従事者が存在しないと判断した場合、親機用制御部２１は呼出装置３０へ不在信号を送信する。呼出装置３０が不在信号を受信すると、表示部３２は第一の範囲に医療従事者が存在しないことを表示する。その状態で第一の範囲よりも広く第一の範囲を含まない第二の範囲に医療従事者が存在すると判断した場合、親機用制御部２１は呼出装置３０に在信号を送信する。在信号を受信した呼出装置３０は、呼出信号の出力を有効とし、操作部３３の操作によってナースコール親機２０を介して携帯通信端末１０に呼出信号を出力する。呼出信号を受信した携帯通信端末１０は呼び出しを報知するようにしている。【選択図】        図１
2009034203.tif 000002
【特許請求の範囲】
【請求項１】
通常、医療従事者が居るスタッフルームの近辺に設置され前記スタッフルームの近辺の第一の範囲に医療従事者が存在しないことを示す不在信号および前記第一の範囲よりも広く前記第一の範囲を含まない第二の範囲に医療従事者が存在することを示す在信号を受信する呼出装置用受信部と、前記呼出装置用受信部が前記不在信号を受信した場合に前記第一の範囲に医療従事者が存在しないことを表示する表示部と、前記第二の範囲に存在する医療従事者を呼び出すために操作される操作部と、前記操作部の操作により前記第二の範囲に存在する医療従事者を呼び出す呼出信号を出力する出力部と、前記第一の範囲に医療従事者が存在しないことが前記表示部に表示されかつ前記呼出装置用受信部が前記在信号を受信した場合に前記操作部および前記出力部の少なくとも一方を制御して前記呼出信号の出力を有効とする呼出装置用制御部とを備えた呼出装置と、
複数の医療従事者によりそれぞれ携行され前記呼出信号を受信する端末用受信部と、前記端末用受信部が前記呼出信号を受信した場合に報知を行う報知部と、自端末の現在位置を示す位置情報を取得する位置情報取得部と、前記位置情報取得部にて取得した前記位置情報を自端末の識別情報とともに通信信号として送信する端末用送信部とを備えた携帯通信端末と、
前記第一の範囲を示す第一の範囲情報と前記第二の範囲を示す第二の範囲情報とを記憶する記憶部と、前記呼出信号および前記通信信号を受信する親機用受信部と、前記親機用受信部にて受信した前記通信信号により前記携帯通信端末の現在位置を特定し前記第一の範囲に携帯通信端末が存在するか否かを判定するとともに前記第二の範囲に携帯通信端末が存在するか否かを判定する判定部と、前記第一の範囲に携帯通信端末が存在しないと前記判定部により判断した場合に前記不在信号を前記呼出装置に送信し前記第二の範囲に携帯通信端末が存在すると前記判定部により判断した場合に前記在信号を前記呼出装置に送信するとともに前記親機用受信部が前記呼出装置から前記呼出信号を受信した場合に前記第二の範囲に存在する前記携帯通信端末に前記呼出信号を送信する親機用送信部とを備えたナースコール親機と、
を具備することを特徴するナースコールシステム。
【発明の詳細な説明】
【技術分野】
【０００１】
本発明は、病院などで患者からの要求に応じて看護師などの医療従事者を呼び出すナースコールシステムに関する。
【背景技術】
【０００２】
従来、ナースコールシステムでは、病室内の患者の近辺（例えば、ベッド近傍など）に設置されたナースコール子機および医療従事者の居る部屋（例えば、スタッフルームなど）に設置されたナースコール親機を有線や無線などにより接続している。
【０００３】
さらに近年、ナースコールシステムでは、ナースコール親機とナースコール親機に連動する携帯通信端末（例えば、ＰＨＳ（Ｐｅｒｓｏｎａｌ  Ｈａｎｄｙｐｈｏｎｅ  Ｓｙｓｔｅｍ）など）とを、交換機と無線基地局とを介して接続している。これにより、医療従事者がナースコール親機の近辺にいなくても、医療従事者は、患者からの呼び出しに応答することができる。
【０００４】
また、特許文献１には、ナースコール子機の呼出操作により予め登録されている携帯通信端末に呼び出しがかかるナースコールシステムが開示されている。特許文献１に記載のナースコールシステムでは、ナースコール子機が呼び出しを行うと、呼び出しを行ったナースコール子機に対応する携帯通信端末のうち、そのナースコール子機に対応する呼出エリア内に位置登録をしている携帯通信端末を検索し、検索された携帯通信端末に対して呼び出しを行うようにしている。また、特許文献１に記載のナースコールシステムでは、所定の時間が経過しても、該当する医療従事者が応答しない場合、その呼出エリアに隣接する別の呼出エリアに位置登録をしている携帯通信端末に対して呼び出しを行うようにしている。ここで、呼出エリアとは、無線基地局が携帯通信端末に対して通信可能な場所を示す。また、呼出エリアは、例えば病棟毎に設定される。
【特許文献１】特開２００１−２３０８６７号公報
【０００５】
ところで、患者や患者の付添人、見舞人など（以下、単に患者とする）が薬の服用方法などを医療従事者に確認するなどの緊急を要しない場合、患者は、ナースコール子機を使用して医療従事者を呼び出さずに、スタッフルームに直接行くことがある。患者は、スタッフルームのカウンターなどに設置されている呼び鈴などを鳴らしてスタッフルームに居る医療従事者を呼び出す。通常、スタッフルームには医療従事者が居るが、医療従事者がスタッフルームに居ない場合、スタッフルームに直接行った患者は、即座に対応してもらうことができなかった。また、呼び鈴は、呼び鈴の音が聞こえる範囲に居る医療従事者に対して有効であるため、呼び鈴を鳴らしても呼び鈴の音が聞こえる範囲に医療従事者が居ない場合には、医療従事者に即座に対応してもらうことができなかった。また、特許文献１に記載のナースコールシステムに使用されるナースコール子機をスタッフルームのカウンターなどに設置した場合、ナースコール子機を操作することで、ナースコール子機に対応する呼出エリアに居る医療従事者を呼び出すことができる。しかしながら、特許文献１に記載のナースコールシステムでは、ナースコール子機に対応する呼出エリアに居る全ての医療従事者に対して呼び出しが行われてしまうので、医療従事者がスタッフルームに居るが、それがカウンターに居る患者から死角となっているような場合には、スタッフルームに医療従事者が居るのにも係わらず、スタッフルームの外に居る医療従事者を呼び出してしまい、呼び出された医療従事者の業務効率が低下してしまうという問題があった。
【発明の開示】
【発明が解決しようとする課題】
【０００６】
本発明は、このような問題を解決するために成されたものであり、スタッフルームでの呼び出しに対して医療従事者ができるだけ迅速に、かつ、できるだけ効率良く対応することができるようにすることを目的とする。
【課題を解決するための手段】
【０００７】
上述した課題を解決するために、本発明のナースコールシステムは、携帯通信端末から送信された通信信号に含まれる位置情報を取得し、取得した位置情報からスタッフルームの近辺の第一の範囲に医療従事者が存在するか否かを判定するとともに、第一の範囲よりも広く、第一の範囲を含まない第二の範囲に医療従事者が存在するか否かを判定する。第一の範囲に医療従事者が存在しない場合、ナースコール親機は、呼出装置へ不在信号を送信する。第二の範囲に医療従事者が存在する場合、ナースコール親機は、呼出装置へ在信号を送信する。呼出装置は、不在信号を受信すると、第一の範囲に医療従事者が存在しないことを表示部に表示する。その状態で在信号を受信した呼出装置は、呼出信号の出力を有効とし、操作部の操作によってナースコール親機を介して携帯通信端末に呼出信号を出力する。呼出信号を受信した携帯通信端末は、呼び出しを報知するようにしている。
【発明の効果】
【０００８】
上記のように構成した本発明によれば、スタッフルームの近辺の第一の範囲に医療従事者が存在しない場合には、それが表示されるので、患者は、スタッフルームの近辺に医療従事者が居ないことを把握することができる。また、その表示とともに操作部の操作が有効になり、その状態で操作部が操作されると、スタッフルームとその近辺とを含まない範囲で、第一の範囲よりも広い第二の範囲に居る医療従事者が携行する携帯通信端末に対して呼び出しが行われる。一方、スタッフルームの近辺に医療従事者が存在する場合には、スタッフルームの近辺に医療従事者が存在しないことが表示されないので、患者は、声を出したり、呼び鈴を使ったりして医療従事者を呼ぶことができる。従って、スタッフルームでの呼び出しに対して、各医療従事者の現在位置に応じた適切な対応が行われるので、医療従事者ができるだけ迅速に、かつ、できるだけ効率良く対応することができるようになる。
【発明を実施するための最良の形態】
【０００９】
以下、本発明の一実施形態を図面に基づいて説明する。本実施形態によるナースコールシステムのブロック図を図１に示す。同図に示すように、本実施形態によるナースコールシステムは、携帯通信端末１０、ナースコール親機２０、呼出装置３０を備えて構成されている。
【００１０】
また、携帯通信端末１０は、端末用制御部１１（特許請求の範囲の端末用送信部、端末用受信部に該当）、位置情報取得部１２、報知部１３、端末用インタフェース（以下、Ｉ／Ｆとする）部１４を備えている。また、ナースコール親機２０は、親機用制御部２１（特許請求の範囲の親機用送信部、親機用受信部に該当）、記憶部２２、判定部２３、親機用インタフェース（以下、Ｉ／Ｆとする）部２４を備えている。また、呼出装置３０は、呼出装置用制御部３１（特許請求の範囲の呼出装置用受信部、出力部に該当）、表示部３２、操作部３３、呼出装置用インタフェース（以下、Ｉ／Ｆとする）部３４を備えている。
【００１１】
図１において、携帯通信端末１０は、医療従事者が携行して患者からの呼び出しに応答するためのものであり、図示しない複数の無線基地局を介してナースコール親機２０に接続されている。また、ナースコール親機２０は、医療従事者の居る部屋（例えば、スタッフルームなど）に設置されており、呼出装置３０および図示しない複数のナースコール子機に接続されている。また、呼出装置３０は、医療従事者の居る部屋の入り口付近（例えば、スタッフルームのカウンターなど）に設置されており、スタッフルームの近辺のある範囲よりも広い範囲であり、その範囲のうちスタッフルームとスタッフルームの近辺のある範囲とを含まない範囲に居る医療従事者を患者が呼び出すためのものである。ここで、呼出装置３０は、ナースコール親機２０に接続されている。
【００１２】
端末用制御部１１は、携帯通信端末１０の各構成要素を後述するように制御する。また、端末用制御部１１は、後述する位置情報取得部１２にて取得した位置情報を識別情報とともに通信信号として送信する。ここで、識別情報は、携帯通信端末１０の電話番号や端末番号などを示し、各携帯通信端末１０にそれぞれ割り振られている。また、端末用制御部１１は、ナースコール親機２０から送信された呼出信号を受信する。位置情報取得部１２は、自端末の現在位置を示す位置情報を取得する。具体的には、携帯通信端末１０が無線基地局と通信を行うときに、端末用制御部１１は、無線基地局から送信された電波を受信する。その際、位置情報取得部１２は、その電波に含まれる無線基地局の位置を取得する。位置情報取得部１２は、取得した無線基地局の位置を自端末の現在位置とする。位置情報取得部１２は、位置情報を端末用制御部１１へ出力する。
【００１３】
報知部１３は、スピーカや表示ディスプレイ、表示灯などにより構成されており、端末用制御部１１がナースコール親機２０から送信された呼出信号を受信すると、スピーカから呼び出し音を出力させたり、表示ディスプレイに呼び出し表示を行わせたり、表示灯を点灯または点滅させたりして、呼び出しを報知する。
【００１４】
端末用Ｉ／Ｆ部１４は、携帯通信端末１０がナースコール親機２０および呼出装置３０との間で通信するために、親機用Ｉ／Ｆ部２４および呼出装置用Ｉ／Ｆ部３４に接続されている。また、端末用Ｉ／Ｆ部１４は、携帯通信端末１０と呼出装置３０との間で通話時の音声信号の入出力を行う。具体的には、端末用Ｉ／Ｆ部１４は、ナースコール親機２０からの呼出信号を入力した後に携帯通信端末１０のオフフックにより通話路が形成されると、医療従事者からの音声信号を携帯通信端末１０から呼出装置３０へ出力するとともに、患者からの音声信号を呼出装置３０から携帯通信端末１０へ入力する。
【００１５】
親機用制御部２１は、ナースコール親機２０の各構成要素を後述するように制御する。また、親機用制御部２１は、不在信号および在信号を生成し、呼出装置３０へ送信する。また、親機用制御部２１は、携帯通信端末１０から送信された通信信号を受信するとともに、呼出装置３０から送信された呼出信号を受信する。また、親機用制御部２１は、受信した通信信号を判定部２３へ出力する。また、親機用制御部２１は、スタッフルームの近辺のある範囲よりも広い範囲であり、その範囲のうちスタッフルームとスタッフルームの近辺とを含まない範囲に存在する携帯通信端末１０へ受信した呼出信号を送信する。
【００１６】
ここで、不在信号とは、後述する第一の範囲に医療従事者が存在しない（すなわち、第一の範囲に携帯通信端末１０が存在しない）ことを呼出装置３０の表示部３２に表示させるための信号である。また、在信号とは、後述する第二の範囲に医療従事者が存在する（すなわち、第二の範囲に携帯通信端末１０が存在する）ことを呼出装置３０の表示部３２で表示させるとともに、呼出装置３０の呼出装置用制御部３１および操作部３３の少なくとも一方を制御して呼出信号を出力させるための信号である。また、呼出信号とは、医療従事者を呼び出すための信号である。呼出装置３０から送信された呼出信号を受信したと親機用制御部２１にて判断した場合には、親機用制御部２１は、後述する第二の範囲に存在する携帯通信端末１０へ呼出信号を送信する。
【００１７】
記憶部２２は、各医療従事者の現在位置に応じた適切な対応を行うために、スタッフルームの近辺のある範囲を示す情報とその範囲よりも広く、かつ、その範囲を含まない範囲を示す情報とを記憶する。図２は、第一の範囲および第二の範囲を示す説明図であり、病棟２００を平面的に見たものである。同図において、病棟２００は、１つのスタッフルーム２０１を設置している。第一の範囲は、スタッフルーム２０１を含み、スタッフルーム
２０１の近辺を示す範囲である。また、第一の範囲は、スタッフルームで声を出したり、呼び鈴を使ったりしたときの音が聞こえる範囲である。また、第二の範囲は、第一の範囲よりも広い範囲であり、第一の範囲を含まない範囲である。また、第二の範囲は、スタッフルームまである程度の時間内に医療従事者が戻ることができる範囲である。ここで、医療従事者は、第一の範囲および第二の範囲を図示しない親機用操作部により指定することができる。
【００１８】
判定部２３は、親機用制御部２１から出力された通信信号を入力し、この通信信号に含まれている携帯通信端末１０の位置情報および識別情報を取得する。判定部２３は、位置情報および識別情報から、どの携帯通信端末１０がどの位置にいるかどうかを特定する。また、判定部２３は、記憶部２２に記憶されている第一の範囲情報および第二の範囲情報を読み出し、第一の範囲に携帯通信端末１０が存在するか否かを判定するとともに、第二の範囲に携帯通信端末１０が存在するか否かを判定する。
【００１９】
親機用Ｉ／Ｆ部２４は、ナースコール親機２０が携帯通信端末１０および呼出装置３０との間で通信するために、端末用Ｉ／Ｆ部１４および呼出装置用Ｉ／Ｆ部３４に接続されている。
【００２０】
呼出装置用制御部３１は、呼出装置３０の各構成要素を後述するように制御する。また、呼出装置用制御部３１は、ナースコール親機２０から送信された不在信号および在信号を受信する。また、呼出装置用制御部３１は、操作部３３の操作により、第二の範囲に存在する医療従事者を呼び出すための呼出信号を生成し、ナースコール親機２０へ送信する。
【００２１】
表示部３２は、携帯通信端末１０を携行した医療従事者が第一の範囲に存在するか否かを表示するためのものであり、表示ディスプレイなどにより構成されている。呼出装置用制御部３１が不在信号を受信した場合には、表示部３２は、第一の範囲に医療従事者が存在しないことを表示する。
【００２２】
操作部３３は、第二の範囲に存在する医療従事者を呼び出すためのものである。操作部３３は、タッチパネルで構成され、表示部３２の表面に取り付けられている。また、操作部３３は、パネル表面に指が触れる（タッチされる）と、検知したことを示す検知信号を呼出装置用制御部３１へ送信する。また、操作部３３は、呼出装置用制御部３１がナースコール親機２０から送信された在信号を受信した場合に、呼出装置用制御部３１により動作が制御される。
【００２３】
図３（ａ）は、携帯通信端末１０を携行した医療従事者が第一の範囲に存在すると判定部２３にて判断した場合（すなわち、呼出装置用制御部３１がナースコール親機２０から送信された不在信号を受信していない場合）の表示画面例である。携帯通信端末１０を携行した医療従事者が第一の範囲に存在すると判定部２３にて判断した場合において、医療従事者は、スタッフルーム２０１の近辺に存在する。そのため、患者は、操作部３３を使用して医療従事者を呼び出す必要がない。一方、呼出装置用制御部３１が不在信号を受信していないので、表示部３２は、スタッフルーム２０１の近辺に医療従事者が存在しないことを案内画面３００に表示しない。また、呼出装置用制御部３１は、操作部３３を制御して案内画面３００の表面に取り付けられている操作部３３の操作を無効とする。これにより、操作部３３が患者により操作されても、呼出装置用制御部３１は、呼出信号を送信しなくなる。
【００２４】
図３（ｂ）は、携帯通信端末１０を携行した医療従事者が第一の範囲に存在しないと判定部２３にて判断した場合（すなわち、呼出装置用制御部３１がナースコール親機２０から送信された不在信号を受信した場合）の画面表示例である。携帯通信端末１０を携行した医療従事者が第一の範囲に存在しないと判定部２３にて判断した場合において、医療従事者は、スタッフルーム２０１の近辺に存在しない。そのため、患者は、操作部３３を使用して医療従事者を呼び出す必要がある。一方、呼出装置用制御部３１が不在信号を受信したので、表示部３２は、スタッフルーム２０１の近辺に医療従事者が存在しないことを案内画面３００に表示する。本実施形態において、表示部３２は、例えば「看護師は不在です。」の文字を案内画面３００に表示する。その状態で、携帯通信端末１０を携行した医療従事者が第二の範囲に存在すると判定部２３にて判断した場合（すなわち、呼出装置用制御部３１がナースコール親機２０から送信された在信号を受信した場合）に、呼出装置用制御部３１は、操作部３３を制御して案内画面３００の表面に取り付けられている操作部３３の操作を有効とする。これにより、操作部３３が患者により操作されると（すなわち、操作部３３から送信された検知信号を受信したと呼出装置用制御部３１にて判断したときには）、呼出装置用制御部３１は、呼出信号を生成し、ナースコール親機２０へ送信する。
【００２５】
呼出装置用Ｉ／Ｆ部３４は、呼出装置３０が携帯通信端末１０およびナースコール親機２０との間で通信するために、端末用Ｉ／Ｆ部１４および親機用Ｉ／Ｆ部２４に接続されている。また、呼出装置用Ｉ／Ｆ部３４は、携帯通信端末１０と呼出装置３０との間で通話時の音声信号の入出力を行う。具体的には、呼出装置用Ｉ／Ｆ部３４は、携帯通信端末１０のオフフックにより通話路が形成されると、患者からの音声信号を呼出装置３０から携帯通信端末１０へ出力するとともに、医療従事者からの音声信号を携帯通信端末１０から呼出信号へ出力する。
【００２６】
呼出装置３０から出力された呼出信号は、ナースコール親機２０により受信される。ナースコール親機２０では、呼出信号を受信したか否かを親機用制御部２１にて判定している。呼出信号を受信したと親機用制御部２１にて判断した場合には、親機用制御部２１は、第二の範囲に存在する携帯通信端末１０へ呼出信号を送信する。
【００２７】
携帯通信端末１０では、呼出信号を受信したか否かを端末用制御部１１にて判定している。ナースコール親機２０から送信された呼出信号を受信したと端末用制御部１１にて判断した場合には、報知部１３は、スピーカから呼び出し音を出力させたり、表示ディスプレイに呼び出し表示を行わせたり、表示灯を点灯または点滅させたりして、呼び出しを報知する。
【００２８】
以上、詳しく説明したように、本実施形態のナースコールシステムは、スタッフルーム２０１の近辺の第一の範囲を示す第一の範囲情報と、第一の範囲よりも広く第一の範囲を含まない第二の範囲を示す第二の範囲情報とを記憶部２２にて記憶する。携帯通信端末１０の位置情報により、第一の範囲に医療従事者が存在しないと判定部２３にて判断した場合に、親機用制御部２１は、呼出装置３０へ不在信号を送信する。不在信号を受信した場合に、表示部３２は、第一の範囲に医療従事者が存在しないことを表示する。その状態で、第二の範囲に医療従事者が存在すると判定部２３にて判断した場合に、親機用制御部２１は、呼出装置３０に在信号を送信する。在信号を受信した場合に、呼出装置用制御部３１は、操作部３３を制御して案内画面３００の表面に取り付けられている操作部３３の操作を有効とする。操作部３３が操作されると、呼出装置用制御部３１は、呼出信号を生成してナースコール親機２０へ呼出信号を送信する。呼出装置３０から出力された呼出信号を受信したと親機用制御部２１にて判断した場合には、親機用制御部２１は、第二の範囲に存在する携帯通信端末１０へ呼出信号を送信する。そして、ナースコール親機２０から送信された呼出信号を受信したと端末用制御部１１にて判断した場合には、報知部１３は、呼び出しを報知するようにしている。これにより、スタッフルーム２０１の近辺に医療従事者が存在しない場合には、第二の範囲に居る医療従事者に対して呼び出しが行われる。一方、スタッフルーム２０１の近辺に医療従事者が存在する場合には、患者の声や呼び鈴などにより医療従事者に対して呼び出しが行われる。従って、スタッフルーム２０１での呼び出しに対して、各医療従事者の現在位置に応じた適切な対応が行われるので、医療従事者ができるだけ迅速に、かつ、できるだけ効率良く対応することができるようになる。
【００２９】
なお、前述した実施形態では、携帯通信端末１０を携行した医療従事者が第一の範囲に存在すると判定部２３にて判断した場合に、表示部３２は、スタッフルーム２０１の近辺に医療従事者が存在することを案内画面３００に表示していないが、これに限定されない。例えば、表示部３２は、スタッフルーム２０１の近辺に医療従事者が存在することを案内画面３００’に表示するようにしても良い。具体的には、図４（ａ）に示すように、表示部３２は、「在室中です。ご用の方は、呼び鈴をご使用ください。」の文字を案内画面３００’に表示する。これにより、患者は、スタッフルーム２０１の近辺に医療従事者が存在することを容易に把握することができる。
【００３０】
また、前述した実施形態では、呼出装置３０が不在信号を受信した場合に、表示部３２は、「看護師は不在です。」の文字を案内画面３００に表示し、その状態で、在信号を受信したときでも案内画面３００の表示内容を変更するようにしていないが、もちろん、変更して表示させるようにしても良い。
【００３１】
例えば、不在信号を受信したと呼出装置用制御部３１にて判断した場合には、図３（ｂ）に示すように、表示部３２は、「看護師は不在です。」の文字を案内画面３００に表示する。その状態で、在信号を受信したと呼出装置用制御部３１にて判断した場合には、図４（ｂ）に示すように、表示部３２は、「ご用の方は、呼出ボタンを押してください。」の文字と呼出ボタン３０１とを案内画面３００’に表示する。そして、患者が呼出ボタン３０１を押下すると、第二の範囲に居る医療従事者が呼び出される。
【００３２】
また、前述した実施形態では、記憶部２２は、第一の範囲情報と第二の範囲情報とを記憶するようにしているが、これに限定されない。例えば、第二の範囲よりも広く、第一の範囲および第二の範囲を含まない第三の範囲を第三の範囲情報として記憶するようにしても良い。
【００３３】
具体的には、第一の範囲および第二の範囲に医療従事者が存在しないと判定部２３にて判断した場合に、判定部２３は、記憶部２２に記憶されている第三の範囲情報を読み出し、第三の範囲に携帯通信端末１０が存在するか否かを判定する。第三の範囲に医療従事者が存在すると判定部２３にて判断した場合に、親機用制御部２１は、第三の範囲に医療従事者が存在することを示す第二の在信号を呼出装置３０に送信する。第二の在信号を受信したと呼出装置用制御部３１にて判断した場合には、呼出装置用制御部３１は、操作部３３を制御して案内画面３００の表面に取り付けられている操作部３３の操作を有効とする。操作部３３が操作されると、呼出装置用制御部３１は、呼出信号を生成し、ナースコール親機２０へ呼出信号を出力する。呼出装置３０から出力された呼出信号を受信したと親機用制御部２１にて判断した場合には、第三の範囲に存在する携帯通信端末１０へ呼出信号を送信する。そして、ナースコール親機２０から送信された呼出信号を受信したと端末用制御部１１にて判断した場合には、報知部１３は、呼び出しを報知するようにしている。
【００３４】
これにより、第二の範囲に携帯通信端末１０を携行する医療従事者が存在しない場合に、より広い範囲に居る医療従事者を呼び出すことができる。
【００３５】
また、前述した実施形態では、１つの病棟２００内に１つのスタッフルーム２０１が設置されているものとして、記憶部２２は、第一の範囲情報を１つだけ記憶するようにしているがこれに限定されない。例えば、病棟２００内に複数のスタッフルーム２０１が設置されている場合に、記憶部２２は、第一の範囲を複数記憶するようにしても良い。
【００３６】
また、前述した実施形態では、呼出装置用制御部３１は、操作部３３を制御して案内画面３００の表面に取り付けられている操作部３３の操作を有効とするようにしているが、これに限定されない。例えば、呼出装置用制御部３１は、呼出信号を生成する動作または呼出信号を出力する動作を制御して、呼出信号の出力の有効／無効を制御するようにしても良い。
【図面の簡単な説明】
【００３７】
【図１】本実施形態のナースコールシステムのブロック図である。
【図２】第一の範囲および第二の範囲を示す説明図である。
【図３】呼出装置の画面表示例を示す説明図である。
【図４】呼出装置の画面表示の変形例を示す説明図である。
【符号の説明】
【００３８】
１０    携帯通信端末
１１    端末用制御部
１２    位置情報取得部
１３    報知部
１４    端末用インタフェース（Ｉ／Ｆ）部
２０    ナースコール親機
２１    親機用制御部
２２    記憶部
２３    判定部
２４    親機用インタフェース（Ｉ／Ｆ）部
３０    呼出装置
３１    呼出装置用制御部
３２    表示部
３３    操作部
３４    呼出装置用インタフェース（Ｉ／Ｆ）部
２００  病棟
２０１  スタッフルーム
３００  案内画面
３００’  案内画面
３０１  呼出ボタン
【図１】
2009034203.tif 000003
【図２】
2009034203.tif 000004
【図３】
2009034203.tif 000005
【図４】
2009034203.tif 000006